(57)【特許請求の範囲】
【請求項１】
一対の梯子状脚体の上端部が回動自在に連結されて両脚体が開閉可能とされ、両脚体の夫々上端に天板が互いに間隔をおいて配設された脚立において、両脚体の夫々上部両端に、一部重なり合って両脚体の開閉により互いに回転するように回転金具が夫々固定され、両端側の支軸部と両支軸部の夫々内端から立ち上がる立上部と両立上部の上端どうしをつなぐ操作軸部とからなる支軸兼操作軸用シャフトの前記両支軸部が、脚体両端の回転金具の重なり合った部分に形成された長孔に挿通され、シャフトの支軸部が下に移動したときに両回転金具の重なりが小さくなって両脚体が開き、このとき操作軸部は、自重で立上部が倒れることによって何れか一方の脚体の天板の内側端部に天板上面と略面一状態に支持され、しかして両天板の隙間に上方から入れた手で操作軸部を持ち上げて支軸部を上に移動させることにより両回転金具の重なりが大きくなって両脚体が閉じるように構成されてなる脚立。
【請求項２】
両脚体の夫々上部両端に夫々固定されて、一部重なり合った一対の回転金具の長孔は、夫々下部孔と、この下部孔から夫々斜め上方へ且つ互いに離れる方向に延びる上部孔とからなるもので、少なくとも一方の回転金具の長孔の下部孔は、上端側の幅がその下部側の幅より僅かに狭く且つシャフトの支軸部の径より僅かに大きくなっている請求項１に記載の脚立。
【請求項３】
支軸兼操作軸用シャフトの立上部は、両支軸部の夫々内端から、直角に立ち上がるのではなく、外向き傾斜状に立ち上がって支軸部及び操作軸部に対し鋭角をなすように形成されてなる請求項１又は２に記載の脚立。
【発明の詳細な説明】
【技術分野】
【０００１】
本発明は、脚体が開閉できる脚立に関する。
【背景技術】
【０００２】
従来この種の脚立として、例えば下記特許文献１に記載されたものがある。この特許文献１の脚立は、一対の梯子状脚体の上端部が回動自在に連結されて両脚体が開閉可能とされ、両脚体の夫々上端に天板が互いに間隔をおいて配設された脚立であって、両脚体の夫々上部両端に、一部重なり合って両脚体の開閉により互いに回転するように回転金具が夫々固定され、棒状の開き止め用シャフトの両端部が脚両端の回転部材の重なり合った部分に形成された長孔に通され、シャフトが下に移動したときに両回転部材の重なりが小さくなって両脚体が開き、シャフトが上に移動したときには回転部材の重なりが大きくなって両脚体が閉じるように構成されている。
【０００３】
この脚立によると、使用する場合には、片手又は両手で脚立を持って床等に置き、その手で脚体を持って開くだけでよい。また、両脚体を閉じるきには、何れかの脚立の側面側から一方の手を天板の下方側へ突っ込んで棒状の開き止め用シャフトを押し上げながら、このシャフトを上方より両天板の隙間に入れた他方の手で掴んで持ち上げることにより、シャフトが回転部材の長孔内を上に移動し、回転部材の重なりが大きくなって両脚体を閉じることができる。
【先行技術文献】
【特許文献】
【０００４】
【特許文献１】実公平５−４７２７９号公報
【発明の概要】
【発明が解決しようとする課題】
【０００５】
上記従来の脚立は、直線状の開き止め用シャフトの両端部が両回転部材の重なり合った部分に形成された長孔に挿通されるようになっていて、シャフトが下に移動して両脚体が開いた状態では、シャフト全体が、両脚体の上端にある両天板の隙間の下方側に位置するから、両脚立を閉じるためシャフトを持ち上げるときには、両天板の隙間にその上方から手を差し入れにくく、従って一方の手を脚立の側面側から天板の下方へ突っ込んでシャフトを押し上げながら、両天板の隙間にその上方から入れた他方の手でシャフトを掴んで持ち上げる、と言うような面倒な操作が必要となり、また両脚体を閉じた状態での脚立の持ち運びが不便となる。
【０００６】
本発明は、上記の事情に鑑み、両脚体を閉じるためシャフトを持ち上げるときに、そのシャフトの持ち上げが容易且つ安全に行えると共に、持ち運びに便利な脚立を提供することを目的としている。
【課題を解決するための手段】
【０００７】
上記課題を解決するための手段を、後述する実施形態の参照符号を付して説明すると、請求項１に係る発明は、一対の梯子状脚体１，２の上端部が回動自在に連結されて両脚体１，２が開閉可能とされ、両脚体１，２の夫々上端に天板４が互いに間隔をおいて配設された脚立において、両脚体１，２の夫々上部両端に、一部重なり合って両脚体１，２の開閉により互いに回転するように回転金具６，７が夫々固定され、両端側の支軸部１４ａ，４ａと両支軸部４ａ，４ａの夫々内端から立ち上がる立上部１４ｂ，１４ｂと両立上部１４ｂ，１４ｂの上端どうしをつなぐ操作軸部１４ｃとからなる支軸兼操作軸用シャフト１４の前記両支軸部１４ａ，４ａが、脚体１，２両端の回転金具６，７の重なり合った部分に形成された長孔１２，１３に挿通され、シャフト１４の支軸部１４ａが下に移動したときに両回転金具６，７の重なりが小さくなって両脚体１，２が開き、このとき操作軸部１４ｃは、自重で立上部１４ｂが倒れることによって何れか一方の脚体１又は２の天板４の内側端部４ｏに天板４上面と略面一状態に支持され、しかして両天板４，４の隙間Ｓに上方から入れた手で操作軸部１４ｃを持ち上げて支軸部１４ａを上に移動させることにより両回転金具６，７の重なりが大きくなって両脚体１，２が閉じるように構成されてなることを特徴とする。
【０００８】
請求項２は、請求項１に記載の脚立において、両脚体１，２の夫々上部両端に夫々固定されて、一部重なり合った一対の回転金具６，７の長孔１２，１３は、夫々下部孔１２ａ，１３ａと、この下部孔１２ａ，１３ａから夫々斜め上方へ且つ互いに離れる方向に延びる上部孔１２ｂ，１３ｂとからなるもので、少なくとも一方の回転金具６，７の長孔１２，１３の下部孔１２ａ，１３ａは、上端側の幅Ｗｂがその下部側の幅Ｗａより僅かに狭く且つシャフト１４の支軸部１４ａの径Ｄより僅かに大きくなっていることを特徴としている。
【０００９】
請求項３は、請求項１又は２に記載の脚立において、支軸兼操作軸用シャフト１４の立上部１４ｂは、両支軸部１４ａ，１４ａの夫々内端から、直角に立ち上がるのではなく、外向き傾斜状に立ち上がって支軸部１４ａ及び操作軸部１４ｃに対し鋭角をなすように形成されてなることを特徴とする。
【発明の効果】
【００１０】
上記解決手段による発明の効果を、後述する実施形態の参照符号を付して説明すると、請求項１に係る発明によれば、両端側の支軸部１４ａ，４ａと両支軸部４ａ，４ａの夫々内端から立ち上がる立上部１４ｂ，１４ｂと両立上部１４ｂ，１４ｂの上端どうしをつなぐ操作軸部１４ｃとからなる支軸兼操作軸用のシャフト１４の両支軸部１４ａ，４ａが、両回転金具６，７の重なり合った部分に形成された長孔１２，１３に挿通され、シャフト１４の支軸部１４ａが下に移動したときに両回転金具６，７の重なりが小さくなって両脚体１，２が開き、このとき操作軸部１４ｃはシャフト１４の自重で立上部１４ｂが倒れることによって何れか一方の脚体１又は２の天板４の内側端部４ｏに天板４上面と略面一状態に支持され、しかして操作軸部１４ｃを持ち上げて支軸部１４ａを上に移動させることにより両回転金具６，７の重なりが大きくなって両脚体１，２が閉じるようになっているから、脚立の使用時には、脚立を床などに置いて、手で両脚体１，２を開けばよい。また脚立使用時は、シャフト１４の操作軸部１４ｃは、何れか一方の脚体１又は２の天板４の内側端部４ｏに天板４上面と略面一状態に支持されるので、作業者が操作軸部１４ｃに足を引っ掛けるなどの障害物とはならず、作業の安全性が確保される。
【００１１】
そして、脚立を閉脚するときは、天板４，４の隙間Ｓに上方より手を入れて支軸兼操作軸用シャフト１４の操作軸部１４ｃを掴み、持ち上げると、支軸部１４ａが回転金具６，７の長孔１２，１３内を上動して、両回転金具６，７の重なりが大きくなるから、両脚体１，２が閉じて、両脚体１，２を閉じることができる。こうして開脚した両脚体１，２を閉脚するときは、シャフト１４の操作軸部１４ｃが、両天板４，４の隙間Ｓの上部側位置、即ち天板４の上面と略面一状態に位置しているから、隙間Ｓ内に手を深く突っ込む必要がなく、その隙間Ｓの入口側に手を少し入れれば、操作軸部１４ｃを簡単に掴めるため、閉脚操作を迅速容易に行えると共に、隙間Ｓ内で手指を損傷するような危険性がなく、操作上の安全性を確保できる。
【００１２】
また、シャフト１４の操作軸部１４ｃは、上記のように常に隙間Ｓの入口側の掴み易い位置にあるから、脚立を持ち運ぶ場合には、この操作軸部１４ｃを掴むことによって持ち易くなり、しかも持ち運び中は、支軸部１４ａが回転金具６，７の長孔１２，１３の上限位置にあって、下動することがなく、両脚体１，２を閉じた位置にロックした状態で持ち運びできるから、持ち運びが非常に便利で楽となる。
【００１３】
請求項２に係る発明によれば、回転金具６，７の長孔１２，１３は、夫々下部孔１２ａ，１３ａと、この下部孔１２ａ，１３ａから夫々斜め上方へ互いに離れる方向に延びる上部孔１２ｂ，１３ｂとからなるもので、回転金具６，７の長孔１２，１３の下部孔１２ａ，１３ａは、上端側の幅Ｗｂがその下部側の幅Ｗａより僅かに狭く且つシャフト１４の支軸部１４ａの径Ｄよりも僅かに大きくなっているから、脚体１，２が開脚されたロック状態での脚立使用時に、振動などによってシャフト１４の支軸部１４ａに上向きの力が働いて、下部孔１２ａ，１３ａ内の支軸部１４が持ち上がろうとしても、その支軸部１４ａが幅の狭くなった下部孔１２ａ，１３ａの上部側に引っ掛かって、持ち上がりを阻止され、脚体１，２が不測にロック解除されるのを防止することができる。
【００１４】
請求項３に係る発明によれば、支軸兼操作軸用シャフト１４の立上部１４ｂが、両支軸部１４ａ，１４ａの夫々内端から、直角に立ち上がるのではなく、外向き傾斜状に立ち上がって支軸部１４ａ及び操作軸部１４ｃに対して鋭角をなすように形成されているから、図７の(a) に示すように各立上部１４ｂの外側面上端部を回転金具６，７に対しわずかに点接触しうるような状態に配設することにより、シャフト１４の軸方向移動を制限して、脚立運搬時などにおけるシャフト１４のガタつき、それに伴う金属音の発生を防止できると共に、立上部１４ｂはシャフト１４の自重で倒れることができるので、操作軸部１４ｃを何れか一方の脚体１又は２の天板４の内側端部４ｏに支持させておくことができる。
【図面の簡単な説明】
【００１５】
【図１】(a) は本発明に係る脚立の両脚体が開いた状態での正面図、(b) は側面図である。
【図２】(a) は同脚立の両脚体が閉じた状態での平面図、(b) は同状態の正面図である。
【図３】図１の(a) の一部拡大図である。
【図４】(a) は両回転金具の長孔にシャフトの支軸部が挿通された状態の正面図であり、(b) はその平面図である。
【図５】(a-1) は一方の回転金具の正面図、(a-2) は平面図、(b-1) は他方の回転金具の正面図、(b-2) は平面図である。
【図６】(a) は両回転金具の長孔に挿通されたシャフトの支軸部が長孔の下位に位置して両脚体が最大限開いた状態の正面図、(b) は支軸部が長孔の中位に位置して両脚体が閉じ始めた状態の正面図、(c) は支軸部が長孔の上限位置に位置して両脚体が最大限閉じた状態の正面図である。
【図７】(a) は両脚立を閉じるため両天板の隙間にその上方から入れた手でシャフトを掴んだ状態の縦断側面図、(b) は(a) のＸ−Ｘ線断面図であるが、シャフトの立上部は自重で倒れた状態にある。
【図８】(a) は一方の回転金具の拡大図、(b) は他方の回転金具の拡大図である。
【発明を実施するための形態】
【００１６】
以下に本発明の好適な一実施形態を図面に基づいて説明すると、脚立は、図１及び図２に示すように、一対の脚体１，２によって構成される。各脚体１，２は、両側一対の脚柱３，３と、両脚柱３，３の上端部どうしを連結する天板４と、両脚柱３，３の中間部どうしを連結する踏桟５と、両脚柱３，３の夫々上端部に固定された回転金具６，７とからなるもので、両脚体１，２の対応する脚柱３，３の回転金具６，７どうしが回転自在に連結されており、両脚体１，２の天板４，４間には図２の(a) に示すように所定幅の隙間Ｓが設けられている。また、両脚体１，２の対応する脚柱３，３間には可撓性の開き止めバンド８が介装され、各脚体１，２の天板４には両端部に樹脂製の端部キャップ９ａ取り付けられ、踏桟５の両端部にも樹脂製の端部キャップ９ｂ取り付けられ、また各脚柱３の下端部には樹脂製の脚柱端具９ｃが取り付けられている。
【００１７】
各脚体１，２の脚柱３、天板４及び踏桟５は、夫々アルミ押出形材製のもので、脚柱３は角筒状に形成され、踏桟５は、三角筒状に形成されている。また、天板４は、同じくアルミ押出形材製であるが、図３に破線で示すように、水平板状の上壁部４ａと、この水平板状上壁部４ａを下方から受けるように一体に形成された略々Ｖ字状の枠部４ｂとからなるもので、上壁部４ａはＶ字状枠部４ｂを越えて突出し、その突出端部４ｏが断面下向きアール状に形成されている。しかして、両脚体１，２の天板４，４は、図３に示すように上壁部４ａ，４ａの対向する断面下向きアール状内側端部４ｏ，４ｏ間に隙間Ｓを形成している。
【００１８】
回転金具６，７は、鋼板等の金属板によって図３〜図５に示すような形状に形成され、一部重なり合って両脚体１，２の開閉により互いに回転するように両脚体１，２の上部両端に固定されたもので、具体的に、一方の回転金具６は、その一端部側が一方の脚体１の各脚柱３の内側面上端部に端部キャップ９ａを介してビス１０により固定され、他方の回転金具７も、その一端部側が他方の脚体２の各脚柱３の内側面上端部に端部キャップ９ａを介してビス１０により固定されている。両回転金具６，７の上縁６ａ，７ａは、天板４の上壁部４ａとほぼ同じ高さにあって（図３及び図７参照）、両回転金具６，７は、天板上壁部４ａ，４ａの対向突出部分と同じ方向にこれより長く張り出している。そして、対応する一対の回転金具６，７の張り出し部分が互いに重ね合わせられ、この重ね合わせ部分の上部が、枢着ピン１１で回転可能に連結されている。また一対の回転金具６，７は、図３に示すように天板４，４の上壁部４ａ，４ａに対しビス１０で固定されている。
【００１９】
また図３に示すように、一対の回転金具６，７の重ね合わせ部分の枢着ピン１１の下側に長孔１２，１３が形成されている。この一対の回転金具６，７の長孔１２，１３は常に一部重なっており、この長孔１２，１３の重なった部分に、支軸兼操作軸用シャフト１４の支軸部１４ａが挿通されている。この支軸兼操作軸用シャフト１４は、図７に示すように、鋼製丸棒材を曲げ加工して形成されたもので、両端側の一対の支軸部１４ａ，１４ａと、両支軸部１４ａ，１４ａの夫々内端から立ち上がる立上部１４ｂ，１４ｂと、両立上部１４ｂ，１４ｂの上端どうしをつなぐ操作軸部１４ｃとにより構成される。この場合、両立上部１４ｂ，１４ｂは、図７に示すように、両支軸部１４ａ，１４ａの夫々内端から直角に立ち上がるのではなく、両支軸部１４ａ，１４ａの夫々内端から外向き傾斜状に立ち上がって、支軸部１４ａ及び操作軸部１４ｃに対し夫々鋭角をなすように形成されている。
【００２０】
図４は、対向端部どうしが重なり合った一対の回転金具６，７の長孔１２，１３に支軸兼操作軸用シャフト１４の支軸部１４ａを挿通させた状態を示すもので、(a) は正面図、(b) は平面図である。また図５の(a-1) は一方の回転金具６の正面図、(a-2) は平面図であり、(b-1) は他方の回転金具７の正面図、(b-2) は平面図である。これらの図から分かるように、一部分が重なり合った一対の回転金具６，７の長孔１２，１３は、夫々下部孔１２ａ，１３ａと、この下部孔１２ａ，１３ａから夫々斜め上方へ且つ互いに離れる方向に延びる上部孔１２ｂ，１３ｂとからなる。また、図８の(a) ，(b) は長孔１２，１３を拡大図示したもので、この図から分かるように、各回転金具６，７の長孔１２，１３の下部孔１２ａ，１３ａは、上端側の幅Ｗｂがその下部側の幅Ｗａより僅かに狭く且つ支軸兼操作軸用シャフト１４の支軸部１４ａの径ｄより僅かに大きくなっている。尚、図４及び図５において、１５はビス挿通孔、１６はピン挿通孔、１７は補強リブを示す。
【００２１】
上記のように支軸兼操作軸用のシャフト１４は、その両端側の支軸部１４ａ，１４ａが脚体１，２両端の夫々一対の回転金具６，７の重なり合った部分の長孔１２，１３に挿通されている。図６の(a) 及び図７の(a) は、シャフト１４の支軸部１４ａが長孔１２，１３の下部孔１２ａ，１３ａに位置している状態を示す。このとき、図６の(a) から分かるように両回転金具６，７の重なりが小さくなって、両脚体１，２が図１に示すような開脚状態となる。またこのとき、操作軸部１４ｃは、自重で立上部１４ｂが倒れることによって、図７の(b) の実線図示及び仮想線図示のように何れか一方の脚体１，２の天板４の内側端部４ｏに支持されると共に、この支持された状態で操作軸部１４ｃが天板４の上壁部４ａと略面一状態となるように、シャフト１４の立上部１４ｂの立ち上がり高さが設定されている。なお、立上部１４ｂの立ち上がり高さは、図７の(b) に示すように、操作軸部１４ｃが天板４の内側端部４ｏに支持された状態で操作軸部１４ｃが天板４の上壁部４ａ上面より僅かに低くなるように設定するのが好ましいが、天板４上で作業者が足を引っ掛けるような障害物とならなければ、操作軸部１４ｃが上壁部４ａ上面より多少突出してもよい。
【００２２】
しかして、図７の(a) に示すように両天板４，４間の隙間Ｓに上方から手を入れ、操作軸部１４ｃを持ち上げて支軸部１４ａを上に移動させることにより、図６の(b) から(c) に示すように両回転金具６，７の重なりが大きくなって、両脚体１，２が閉じる。即ち、図７の(a) に示すようにシャフト１４の支軸部１４ａが長孔１２，１３の下部孔１２ａ，１３ａに位置する状態からシャフト１４の操作軸部１４ｃを持ち上げると、支軸部１４ａは長孔１２，１３の下部孔１２ａ，１３ａを出て上部孔１２ｂ，１３ｂの入口部に入った段階で両回転金具６，７の重なりが大きくなり（図６の(b) 参照）、更に支軸部１４ａが上部孔１２ｂ，１３ｂの奥まで入り込むことにより、図６の(c) のように両回転金具６，７の重なりが最大となって、両脚体１，２は図２に示すような完全閉脚状態となる。
【００２３】
また、図６の(c) に示すような状態から、両脚体１，２が開くと、両回転金具６，７の重なりが小さくなるため、シャフト１４の支軸部１４ａが長孔１２，１３の上部孔１２ｂ，１３ｂの奥から手前側へ移動し（図６の(b) 参照）、両脚体１，２が開ききると、図６の(a) に示すように支軸部１４ａが下部孔１２ａ，１３ａまで移動して、それ以上回転金具６，７が互いに回転できなくなり、それによって両脚体１，２もそれ以上開かなくなる開き止め状態となり、図１の(a) に示すような開脚状態にロックされる。尚、図１の(a) に示す開き止めバンド８は、そのような開き止め状態を保持するための開き止め補助手段である。
【００２４】
以上説明したような脚立によれば、両端側の支軸部１４ａ，４ａと両支軸部４ａ，４ａの夫々内端から立ち上がる立上部１４ｂ，１４ｂと両立上部１４ｂ，１４ｂの上端どうしをつなぐ操作軸部１４ｃとからなる支軸兼操作軸用シャフト１４の両支軸部１４ａ，４ａが、脚体１，２両端の回転金具６，７の重なり合った部分に形成された長孔１２，１３に挿通されていて、シャフト１４の支軸部１４ａが下に移動したときに両回転金具６，７の重なりが小さくなって両脚体１，２が開き、このとき操作軸部１４ｃは自重で立上部１４ｂが倒れることによって何れか一方の脚体１又は２の天板４の内側端部４ｏに天板４上面と略面一状態に支持され、しかして両天板４，４の隙間Ｓに上方から入れた手で操作軸部１４ｃを持ち上げて支軸部１４ａを上に移動させることにより両回転金具６，７の重なりが大きくなって両脚体１，２が閉じるようになっているから、脚立を使用するときには、脚立を床などに置いて、手で両脚体１，２を開けばよい。また、脚立使用時は、シャフト１４の操作軸部１４ｃは、何れか一方の脚体１又は２の天板４の内側端部４ｏに天板４上面と略面一状態に支持されるから、作業者が操作軸部１４ｃに足を引っ掛けるなどの障害物とはならず、作業の安全が確保される。
【００２５】
そして、脚立を閉脚するときは、図７の(a) に示すように、両天板４，４の隙間Ｓに上方より手を入れて支軸兼操作軸用シャフト１４の操作軸部１４ｃを掴み上げると、支軸部１４ａが回転金具６，７の長孔１２，１３内を上動して、両回転金具６，７の重なりが大きくなるから、両脚体１，２が閉じて、両脚体１，２を閉じることができる。このように開脚状態の両脚体１，２を閉脚するときは、シャフト１４の操作軸部１４ｃが、両天板４，４の隙間Ｓの上部側位置、即ち天板４上面と略面一状態に位置しているから、持ち上げる手を隙間Ｓ内に深く差し入れる必要がなく、その隙間Ｓの入口側に手を入れれば、操作軸部１４ｃを簡単に掴めるため、閉脚操作を迅速容易に行えると共に、隙間Ｓ内で手指を損傷するような危険性がなく、操作上の安全性を確保できる。
【００２６】
また、シャフト１４の操作軸部１４ｃは、上記のように常に隙間Ｓの入口側の掴み易い位置にあるから、脚立を持ち運ぶ場合には、この操作軸部１４ｃを掴むことによって持ち易くなり、しかも持ち運び中は、支軸部１４ａが回転金具６，７の長孔１２，１３の上限位置にあって、下動するおそれがなく、両脚体１，２を閉じた位置にロックした状態で持ち運びできるから、持ち運びが非常に楽となる。
【００２７】
また、この脚立において、回転金具６，７の長孔１２，１３は、図８の(a) ，(b) に示すように、夫々下部孔１２ａ，１３ａと、この下部孔１２ａ，１３ａから夫々斜め上方へ且つ互いに離れる方向に延びる上部孔１２ｂ，１３ｂとからなるもので、回転金具６，７の長孔１２，１３の下部孔１２ａ，１３ａは、上端側の幅Ｗｂがその下部側の幅Ｗａより僅かに狭く且つシャフト１４の支軸部１４ａの径Ｄよりも僅かに大きくなっているから、脚体１，２が開脚されたロック状態での脚立使用時に、例えば振動によってシャフト１４の支軸部１４ａに上向きの力が働いて、下部孔１２ａ，１３ａ内の支軸部１４が持ち上がろうとしても、その支軸部１４ａが幅の狭くなった下部孔１２ａ，１３ａの上部側に引っ掛かって、持ち上がりを阻止され、脚体１，２が不測にロック解除されるのを防止することができる。
【００２８】
この図８の(a) ，(b) に示す実施形態において、回転金具６の長孔１２の下部孔１２ａには上端側の片側に、なだらかな山形状の小凸部１８を形成し、回転金具７の長孔１３の下部孔１３ａの上端側には、回転金具６の長孔１２の下部孔１２ａの小凸部１８と対応する部位に同じようになだらかな山形状の小凸部１９を形成し、これらの小凸部１８，１９により下部孔１２ａ，１３ａの上端側の幅Ｗｂがその下部側の幅Ｗａよりも僅かに狭くなるようにしている。
【００２９】
この実施形態では、両回転金具６，７の長孔１２，１３について夫々の下部孔１２ａ，１３ａの上端側幅Ｗｂを狭くしているが、いずれか片方の回転金具６，７の長孔１２，１３について、その下部孔１２ａ，１３ａの上端側幅Ｗｂを狭くしてもよい。また、この実施形態では、各下部孔１２ａ，１３ａの上端側の片側に小凸部１８を形成しているが、片側ではなく両側に形成してもよい。いずれにしても、振動等によってシャフト１４の支軸部１４ａに上向きの力が働いて、下部孔１２ａ，１３ａ内の支軸部１４が真上に持ち上がろうとしても、その支軸部１４ａが幅の狭くなった下部孔１２ａ，１３ａの上部側に引っ掛かって、持ち上がりを阻止するが、シャフト１４の操作軸部１４ｃを持ち上げる時は、支軸部１４ａが下部孔１２ａ，１３ａを通過して上部孔１２ｂ，１３ｂに入れるようにする必要がある。
【００３０】
また、この脚立においては、支軸兼操作軸用シャフト１４の立上部１４ｂが、両支軸部１４ａ，１４ａの夫々内端から、直角に立ち上がるのではなく、外向き傾斜状に立ち上がって支軸部１４ａ及び操作軸部１４ｃに対して鋭角をなすように形成されているから、図７の(a) に示すように、各立上部１４ｂの外側面上端部を回転金具６，７に対しわずかに点接触しうるような状態に配置することにより、シャフト１４の軸方向移動を制限して、脚立運搬時などにおけるシャフト１４のガタつきを防止し、それに伴う金属音の発生を防止できると共に、立上部１４ｂはシャフト１４の自重で倒れるので、操作軸部１４ｃを何れか一方の脚体１又は２の天板４の内側端部４ｏに支持させておくことができる。因に、立上部１４ｂを両支軸部１４ａ，１４ａの夫々内端から直角に立ち上がるように形成した場合には、シャフト１４の軸方向移動を制限するためには、各立上部１４ｂの外側面全体を回転金具６，７に対し線接触させるような配置にするか、あるいは各立上部１４ｂの外側面と回転金具６，７との間にスペーサを介在させる必要があるが、そうすると、立上部１４ｂが常に回転金具６，７に対し接触する状態となるため、シャフト１４の自重で操作軸部１４ｃを天板４の内側端部４ｏに支持させることが難しく、操作軸部１４ｃが天板４の上面から不都合に突出した状態となり、作業者がいちいち操作軸部１４ｃを回転操作して天板４の内側端部４ｏに支持させる必要がある。
【符号の説明】
【００３１】
１，２        脚体
３            脚柱
４            天板
４ｏ          天板の内側端部
Ｓ            天板間の隙間
５            踏桟
６            回転金具
７            回転金具
１２          長孔
１３          長孔
１２ａ        下部孔
１２ｂ        上部孔
１３ａ        下部孔
１３ｂ        上部孔
１４          支軸兼操作軸用シャフト
１４ａ        支軸部
１４ｂ        立上部
１４ｃ        操作軸部
【図１】
0005702209.tif 000002
【図２】
0005702209.tif 000003
【図３】
0005702209.tif 000004
【図４】
0005702209.tif 000005
【図５】
0005702209.tif 000006
【図６】
0005702209.tif 000007
【図７】
0005702209.tif 000008
【図８】
0005702209.tif 000009